(57)【要約】【課題】実際の災害発生時には遊技者に速やかな避難行動をとらせることができ、しかも誤報によって短時間の災害信号が発せられたような場合に遊技ホール内に無用の混乱を生じさせることのない遊技機を提供する。【解決手段】主制御基板から送信される演出コマンドに基づいて液晶表示手段を含む演出手段の制御を行う演出制御基板を備え、この演出制御基板は、例えばホールコンピュータから災害信号を受信可能であってその災害信号を受信することを条件に液晶表示手段等の演出手段により避難勧告処理を行うように構成し、更に演出制御基板は、主制御基板から演出コマンドを受信しても（Ｓ１：Ｙｅｓ）、災害フラグがＯＮに設定される避難勧告処理中（Ｓ２：ＯＮ）は演出コマンドに対応する演出動作（Ｓ３）を実行しないように構成する。【選択図】図４
2011024931.tif 000002
【特許請求の範囲】
【請求項１】
主制御手段（３２ａ）から送信される演出コマンドに基づいて画像表示手段（２２）を含む演出手段（７ａ，２７ａ，８，２２）の制御を行う演出制御手段（３３ａ）を備え、該演出制御手段（３３ａ）は、所定の災害信号を受信可能であってその災害信号を受信することを条件に前記演出手段（７ａ，２７ａ，８，２２）により避難勧告処理を行うように構成された遊技機において、前記演出制御手段（３３ａ）は、前記避難勧告処理中は前記演出コマンドに対応する演出動作を実行しないように構成されていることを特徴とする遊技機。
【請求項２】
前記演出制御手段（３３ａ）は、前記避難勧告処理として前記画像表示手段（２２）に避難勧告画像を表示すると共に音声出力手段（８）からの出力を停止するように構成されていることを特徴とする請求項１に記載の遊技機。
【請求項３】
前記演出制御手段（３３ａ）は、前記避難勧告処理として前記画像表示手段（２２）に避難勧告画像を表示し且つ音声出力手段（８）により警報音を出力するように構成されていることを特徴とする請求項１に記載の遊技機。
【請求項４】
前記演出制御手段（３３ａ）は、前記避難勧告処理中は前記避難勧告画像を表示する前記画像表示手段（２２）以外の発光手段（７ａ，２７ａ）を全て消灯させるように構成されていることを特徴とする請求項２又は３に記載の遊技機。
【請求項５】
前記演出制御手段（３３ａ）は、前記避難勧告処理中に受信した前記演出コマンドに関する情報を記憶すると共に所定の外部操作に基づいてその記憶した前記演出コマンドに関する情報を出力可能に構成されていることを特徴とする請求項１〜４の何れかに記載の遊技機。
【請求項６】
前記避難勧告画像は、遊技者を避難経路に誘導する誘導画像を含むことを特徴とする請求項１〜５の何れかに記載の遊技機。
【請求項７】
外部操作に基づいて前記誘導画像を設定する誘導画像設定手段（５１）を備えたことを特徴とする請求項６に記載の遊技機。
【請求項８】
遊技機本体（１）に前側下部を照らす足元灯（６２）を備え、前記演出制御手段（３３ａ）は、前記避難勧告処理として前記足元灯（６２）を点灯させるように構成されていることを特徴とする請求項１〜７の何れかに記載の遊技機。
【請求項９】
主電源からの電力供給が途絶えた後に前記演出制御手段（３３ａ）を含む前記避難勧告処理の実行に必要な各部に電力を供給するバックアップ電源（６１）を備えたことを特徴とする請求項１〜８の何れかに記載の遊技機。
【請求項１０】
前記バックアップ電源（６１）は前記災害信号を受信したことを条件に作動するように構成されていることを特徴とする請求項９に記載の遊技機。
【発明の詳細な説明】
【技術分野】
【０００１】
本発明は、パチンコ機、スロットマシン等、主に遊技ホールに設置される遊技機に関するものである。
【背景技術】
【０００２】
多くの人が出入りする公共施設等では、火災等の災害発生時に人々を安全な場所に速やかに誘導すべく様々な対策が講じられており、これはパチンコ機、スロットマシン等の遊技機が設置された遊技ホールにおいても同様である。しかしながら、遊技ホールは各遊技機から出力される効果音、遊技球の払い出し音等が常に大音量で発せられているため、火災報知器による警報音や誘導アナウンス等があってもこれに気付かないで逃げ遅れてしまう人が出ることが懸念され、他の公共施設と同様の対策のみでは必ずしも十分とは言えない。
【０００３】
そこで、例えば特許文献１に記載の発明では、遊技機に火災報知器等からの災害信号の受信手段を設け、災害信号を受信した場合には例えば演出用の液晶表示装置等に避難行動を促す表示を行うことにより、火災報知器による警報音等が聞こえない場合でも遊技者に確実に災害の発生を知らせ、更に主制御基板への電力供給を強制的に遮断して遊技の進行を停止させることにより、遊技者が避難指示を無視して遊技を継続することができないようにすることで、遊技ホール内という特殊な空間内でも遊技者に速やかな避難行動をとらせることができるとしている。
【先行技術文献】
【特許文献】
【０００４】
【特許文献１】特開２００８−２０６９４２号公報
【発明の概要】
【発明が解決しようとする課題】
【０００５】
このように、引用文献１に記載の発明では、火災報知器等からの災害信号を受信した場合には、主制御基板への電力供給を強制的に遮断して遊技の進行を停止させるようになっているが、火災報知器等の設備ではいたずらや誤作動による誤報がつきものであり、例えば誤報によって極短時間だけ災害信号が発せられたような場合にまで主制御基板への電力供給を強制的に遮断してしまうと、逆に遊技ホール内に無用の混乱を生じさせてしまう可能性がある。
【０００６】
本発明は上記事情に鑑みてなされたものであり、実際の災害発生時には遊技者に速やかな避難行動をとらせることができ、しかも誤報によって短時間の災害信号が発せられたような場合に遊技ホール内に無用の混乱を生じさせることのない遊技機を提供することを目的とする。
【課題を解決するための手段】
【０００７】
本発明は、主制御手段３２ａから送信される演出コマンドに基づいて画像表示手段２２を含む演出手段７ａ，２７ａ，８，２２の制御を行う演出制御手段３３ａを備え、該演出制御手段３３ａは、所定の災害信号を受信可能であってその災害信号を受信することを条件に前記演出手段７ａ，２７ａ，８，２２により避難勧告処理を行うように構成された遊技機において、前記演出制御手段３３ａは、前記避難勧告処理中は前記演出コマンドに対応する演出動作を実行しないように構成されているものである。
【発明の効果】
【０００８】
本発明によれば、避難勧告処理が開始されると遊技者は事実上遊技を継続することができなくなり、電源供給の遮断等により主制御手段３２ａによる遊技進行を強制的に停止させることなくそれと同様の効果、即ち遊技者が避難指示を無視して遊技を継続することができないようにすることが可能である。しかも、停電が発生しない限り主制御手段３２ａによる遊技進行を継続させることができるため、誤報によって短時間の災害信号が発せられたような場合にはすぐに元の状態に復帰させることができ、遊技ホール内での無用の混乱を防止できるという利点がある。
【図面の簡単な説明】
【０００９】
【図１】本発明の第１の実施形態におけるパチンコ機の全体正面図である。
【図２】同じく全体背面図である。
【図３】同じく制御系の概略ブロック図である。
【図４】同じく演出制御処理のフローチャートである。
【図５】同じく災害時処理のフローチャートである。
【図６】同じく設定操作手段による誘導画像の設定に関する説明図である。
【図７】本発明の第２の実施形態における災害時処理のフローチャートである。
【図８】本発明の第３の実施形態における演出制御処理のフローチャートである。
【図９】本発明の第４の実施形態における制御系の概略ブロック図である。
【図１０】本発明の第５の実施形態における足元灯の配置位置の一例を示す図である。
【図１１】同じく制御系の概略ブロック図である。
【発明を実施するための形態】
【００１０】
以下、本発明の実施形態を図面に基づいて詳述する。図１〜図６は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１１】
ガラス扉４には、その中央に透明なガラス窓６が設けられると共に、そのガラス窓６の周辺部前面側には、内部にＬＥＤ基板７ａが配置された発光パネル７の他、後側に配置されたスピーカ８に対応する例えば多孔状の音声出力部９等が設けられている。また前面板５には、発射手段１０に供給するための遊技球を貯留する貯留皿１１、発射手段１０を作動させるための発射ハンドル１２等が設けられると共に、ガラス扉４と同様、発光パネル７、音声出力部９等が設けられている。
【００１２】
１４は遊技盤で、ガラス扉４の後側に対応するように前枠３に対して例えば前側から着脱自在に装着されている。遊技盤１４の前面側には、発射手段１０から発射された遊技球を案内するガイドレール１５が環状に装着されると共に、そのガイドレール１５の内側の遊技領域１６内に、センターケース１７、普通図柄始動手段１８、特別図柄始動手段１９、大入賞手段２０、普通入賞手段２１等の各種遊技部品が配置されている。
【００１３】
センターケース１７は、液晶表示手段２２を備えると共に、その液晶表示手段２２の表示枠上に、普通図柄表示手段２３、特別図柄表示手段２４の他、内部にＬＥＤ基板２７ａが配置された発光パネル２７等の各種演出手段が配置されている。液晶表示手段（画像表示手段）２２は、例えば特別図柄表示手段２４の変動と同期して演出図柄を変動表示する演出図柄表示手段２８を構成する他、各種演出画像、エラー報知画像等を表示するようになっている。
【００１４】
普通図柄表示手段２３は、普通図柄を変動表示するためのもので、例えば「○」「×」の２種類の普通図柄に対応する２個の発光体（例えばＬＥＤ）により構成されており、通過ゲート等よりなる普通図柄始動手段１８が遊技球を検出することを条件にそれら２つの発光体が所定時間交互に点滅して、普通図柄始動手段１８による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１５】
特別図柄始動手段１９は、特別図柄表示手段２４による図柄変動を開始させるためのもので、普通図柄表示手段２３の変動後の停止図柄が当たり態様となって普通利益状態が発生したときに、開閉手段１９ａが所定時間、所定回数だけ閉状態から開状態に変化するように構成されている。
【００１６】
特別図柄表示手段２４は、１個又は複数個、例えば１個の特別図柄を変動表示可能な７セグメント式等の表示手段により構成されており、特別図柄始動手段１９に遊技球が入賞することを条件に特別図柄を所定時間変動表示して、特別図柄始動手段１９への入賞時に取得された大当たり判定乱数値が予め定められた大当たり判定値と一致する場合には所定の大当たり態様で、それ以外の場合には外れ態様で停止するようになっている。
【００１７】
特別図柄表示手段２４の変動後の停止図柄が大当たり態様となることに基づいて大当たり状態が発生すると、大入賞手段２０の開閉板２０ａが所定の開放パターンに従って前側に開放し、その上に落下した遊技球を内部へと入賞させるようになっている。
【００１８】
また、遊技盤１４の裏面側には、図２に示すようにセンターケース１７等の遊技部品を後側から覆う裏カバー３１が装着され、この裏カバー３１の背面側に、主制御基板３２ａが格納された主基板ケース３２、演出制御基板３３ａが格納された演出基板ケース３３、液晶制御基板３４ａが格納された液晶基板ケース３４等が着脱自在に装着されている。
【００１９】
前枠３の裏側には、遊技盤１４の裏側を開閉自在に覆う開閉カバー３５が着脱自在に装着されると共に、その上側に遊技球タンク３６とタンクレール３７とが、左右一側に払い出し手段３８と払い出し通路３９とが夫々装着されており、遊技球が大入賞手段２０等の入賞口に入賞したとき、又は図外の自動球貸し機から球貸し指令があったときに、遊技球タンク３６内の遊技球をタンクレール３７を経て払い出し手段３８により払い出し、その遊技球を払い出し通路３９を経て貯留皿１１に案内するようになっている。
【００２０】
また、前枠３の裏側下部には、基板装着台４１が着脱自在に装着されており、この基板装着台４１の背面側に、電源基板４２ａが格納された電源基板ケース４２、払い出し制御基板４３ａが格納された払い出し基板ケース４３が夫々着脱自在に装着されている。
【００２１】
図３は本パチンコ機の制御系の概略ブロック図である。主制御基板（主制御手段）３２ａは、遊技の進行に関する制御を行うもので、遊技盤１４上の普通図柄表示手段２３、特別図柄表示手段２４、普通図柄始動手段１８、特別図柄始動手段１９、大入賞手段２０、普通入賞手段２１等が例えば図示しない中継基板等を経由して接続されると共に、その下位に、主制御基板３２ａからのコマンドに基づいて音声出力、ＬＥＤ発光等の演出制御を行う演出制御基板（演出制御手段）３３ａ、この演出制御基板３３ａからのコマンドに基づいて液晶表示手段２２を制御する液晶制御基板３４ａ、主制御基板３２ａからのコマンドに基づいて払い出し手段３８を制御する払い出し制御基板４３ａ、この払い出し制御基板４３ａからの発射制御信号等に基づいて発射手段１０を制御する発射制御基板１０ａ等が接続されている。
【００２２】
また、演出制御基板３３ａは、主制御基板３２ａからのコマンドを受信するコマンド受信手段４４、液晶制御基板３４ａ等にコマンドを送信するコマンド送信手段４５、ホールコンピュータ４６等から送信される災害信号を例えばインターフェイス基板４７を介して受信する災害信号受信手段４８、スピーカ（音声出力手段）８、ＬＥＤ基板（発光手段）７ａ，２７ａ、液晶表示手段２２等の演出手段による演出を制御する演出制御処理手段４９、災害信号に基づいて災害時処理を行う災害時処理手段５０、後述する誘導画像を設定する誘導画像設定手段５１等を備えている。
【００２３】
ここで、ホールコンピュータ４６は、例えば緊急地震速報等の警報を受信可能な警報受信機５３や火災報知器５４と接続されており、これら警報受信機５３、火災報知器５４等からの警報信号、或いは遊技店員の操作入力に基づいて災害信号の送信を開始し、例えば警報解除操作が行われるまでその災害信号の送信を継続するようになっている。なお、災害信号は、火災や地震等の災害の種類に応じて複数種類設けてもよいし、災害の種類に拘わらず１種類としてもよい。
【００２４】
また、演出制御基板３３ａには、その制御対象であるスピーカ８、ＬＥＤ基板７ａ，２７ａ等の演出手段の他、誘導画像の設定操作を行うための設定操作手段５５等が接続されている。なお、設定操作手段５５は、図２及び図６に示すように例えば演出制御基板３３ａ上に設けられ、演出基板ケース３３の外側から操作可能となっている。
【００２５】
演出制御処理手段４９は、図４に示す演出制御処理を例えば定期割り込み毎に実行するように構成されている。この演出制御処理（図４）では、まず主制御基板３２ａから演出コマンドを受信したか否かが判定され（Ｓ１）、演出コマンドを受信していない場合（Ｓ１：Ｎｏ）にはここで演出制御処理は終了する。
【００２６】
演出コマンドを受信したと判定された場合には（Ｓ１：Ｙｅｓ）、続いて災害フラグの状態が判定される（Ｓ２）。ここで、災害フラグは災害信号の受信による避難勧告処理中であるか否かを示すもので、後述するように、災害時処理手段５０により、災害信号の受信による避難勧告処理中にＯＮ、それ以外の場合にＯＦＦに設定されるようになっている。
【００２７】
Ｓ２において災害フラグがＯＦＦであると判定された場合には、受信した演出コマンドに基づいて通常の演出処理が行われる。即ち、例えば受信した演出コマンドが変動開始コマンドであれば、例えば液晶制御基板３４ａに所定のコマンドを送信することにより液晶表示手段２２上で演出図柄の変動表示が開始されると共に、スピーカ８からはその演出図柄の変動表示に対応する効果音が出力され、またＬＥＤ基板７ａ，２７ａのＬＥＤはその演出図柄の変動表示に対応するパターンで発光される。
【００２８】
一方、Ｓ２において災害フラグがＯＮであると判定された場合には、受信した演出コマンドに対応した演出処理を行うことなく演出制御処理を終了する。このように、災害フラグがＯＮになった場合には、その後に受信した演出コマンドに対応する演出は実行されないようになっている。
【００２９】
災害時処理手段５０は、図５に示す災害時処理を例えば定期割り込み毎に実行するように構成されている。この災害時処理（図５）では、まず災害信号受信手段４８によるホールコンピュータ４６からの災害信号の受信状況が判定される（Ｓ１１，Ｓ１６）。そして、災害信号の受信が開始されたと判定された場合には（Ｓ１１：Ｙｅｓ）、災害フラグがＯＮに設定されると共に（Ｓ１２）、所定の避難勧告処理が開始される（Ｓ１３〜Ｓ１５）。
【００３０】
即ち、例えば液晶制御基板３４ａに所定のコマンドを送信することにより、その時点で液晶表示手段２２に表示されている演出画像等に代えて避難勧告画像の表示が開始されると共に（Ｓ１３）、スピーカ８からの音声出力及びＬＥＤの発光が停止される（Ｓ１４，Ｓ１５）。
【００３１】
ここで、液晶表示手段２２に表示される避難勧告画像としては、「火災発生！」など災害の発生を報知して間接的に避難を促す報知画像、「火災です！避難してください」などの直接的な表現で避難を促す指示画像、「右方向に避難してください」、「左の非常口から避難せよ」、「→方向へ逃げろ」など避難する方向や非常口の位置を具体的に示して誘導する誘導画像等が考えられるが、これらを適宜組み合わせることが望ましい。また、災害信号が災害の種類によって異なる場合には、その災害信号に応じて報知画像等の種類を異ならせることが望ましい。
【００３２】
このように、災害信号を受信した場合に、遊技者の目に入り易い液晶表示手段２２に避難勧告画像を表示することにより、災害の発生を遊技者に確実に知らせて避難を促すことができる。また、災害信号を受信した後は通常の演出が停止されるため、遊技者は事実上遊技を継続することができなくなり、電源供給の遮断等により主制御基板３２ａによる遊技進行を強制的に停止させることなくそれと同様の効果、即ち遊技者が避難指示を無視して遊技を継続することができないようにすることが可能である。
【００３３】
また、ＬＥＤが消灯するため、液晶表示手段２２の避難勧告画像をより目立たせることができ、更に音声出力が停止されるため、火災報知器５４による警報音やホール内の誘導アナウンス等を聞き取りやすくすることができ、遊技者の避難誘導をより確実に行うことができる。
【００３４】
なお、避難勧告画像に誘導画像が含まれる場合には、その遊技機が設置される遊技ホール内の配置、その遊技ホール内での遊技機の配置位置や向き等に応じて適切な誘導画像を設定する必要がある。この誘導画像の設定は、例えば遊技機が遊技ホールに設置された後、設定操作手段５５を操作することにより行うことができる。設定操作手段５５が操作されると、その操作に基づいて誘導画像設定手段５１により所定の誘導画像が設定される。
【００３５】
設定操作手段５５は、図６に示すように、例えばダイヤル操作等により「左」、「右」等の避難経路の方向を選択可能に構成されており、誘導画像設定手段５１は、設定操作手段５５で選択された方向に基づいて「左方向に避難してください」、「右方向に避難してください」等、複数種類の誘導画像のうちの１つを選択し設定するように構成されている。
【００３６】
以上のように災害信号の受信が開始されて避難勧告処理が開始された後、災害信号の受信が終了したと判定された場合には（Ｓ１６：Ｙｅｓ）、災害フラグがＯＦＦに設定されると共に（Ｓ１７）、それまで継続されてきた避難勧告処理が終了する（Ｓ１８〜Ｓ２０）。即ち、例えば液晶制御基板３４ａに所定のコマンドを送信することにより、液晶表示手段２２に表示されている避難勧告画像の表示を終了して通常の演出画像の表示を再開すると共に（Ｓ１８）、スピーカ８からの音声出力及びＬＥＤの発光を再開させる（Ｓ１９，Ｓ２０）。
【００３７】
ここで、災害信号の受信が終了した後の液晶表示手段２２への演出画像の表示、スピーカ８からの音声出力及びＬＥＤの発光は、災害信号の受信が終了した後に主制御基板３２ａから受信した演出コマンドに基づいて再開すればよい。なお、災害信号の受信中も、主制御基板３２ａからの演出コマンドに基づいて、災害信号の受信中でなければ実行されていた通常演出の進行状況を把握する処理を避難勧告処理と並行して行うようにすれば、災害信号の受信が終了した時点から通常演出を再開することも可能である。
【００３８】
以上説明したように、本実施形態のパチンコ機では、演出制御手段３３ａによる避難勧告処理中は主制御基板３２ａからの演出コマンドに対応する演出動作を実行しないように構成されているため、避難勧告処理が開始されると遊技者は事実上遊技を継続することができなくなり、電源供給の遮断等により主制御基板３２ａによる遊技進行を強制的に停止させることなくそれと同様の効果、即ち遊技者が避難指示を無視して遊技を継続することができないようにすることが可能である。しかも、停電が発生しない限り主制御基板３２ａによる遊技進行を継続させることができるため、誤報によって短時間の災害信号が発せられたような場合にはすぐに元の状態に復帰させることができ、遊技ホール内での無用の混乱を防止できるという利点がある。
【００３９】
また、演出制御基板３３ａは、避難勧告処理として液晶表示手段２２に避難勧告画像を表示するように構成されているため、災害の発生を遊技者に確実に知らせて避難を促すことができる。しかも、液晶表示手段２２に避難勧告画像を表示している間は液晶表示手段２２以外の発光手段、即ちＬＥＤ基板７ａ，２７ａのＬＥＤを全て消灯させているため、液晶表示手段２２の避難勧告画像をより目立たせてその避難勧告内容を遊技者により確実に伝えることができ、またスピーカ８からの音声出力も停止させているため、火災報知器５４による警報音や館内の誘導アナウンス等が聞き取りやすくなり、遊技者の避難誘導をより確実に行うことができる。
【００４０】
更に、避難勧告画像は、遊技者を避難経路に誘導する誘導画像を含んでおり、その誘導画像は外部操作により設定することができるため、その遊技機が設置される遊技ホール内の配置、その遊技ホール内での遊技機の位置や向き等に応じて誘導画像を適切に設定することが可能である。
【００４１】
図７は本発明の第２の実施形態を例示し、第１の実施形態による演出制御基板３３ａの構成を一部変更して、避難勧告処理として、液晶表示手段２２による避難勧告画像の表示と共に、スピーカ８から警報音を出力するように構成した例を示している。
【００４２】
即ち、本実施形態の演出制御基板３３ａによる災害時処理では、図７に示すように、災害信号の受信が開始された場合には（Ｓ１１：Ｙｅｓ）、液晶表示手段２２への避難勧告画像の表示を開始する（Ｓ１３）と共に、スピーカ８から警報音の出力を開始し（Ｓ１４ａ）、災害信号の受信が終了した場合には（Ｓ１６：Ｙｅｓ）、液晶表示手段２２への避難勧告画像の表示を終了する（Ｓ１８）と共に、スピーカ８から警報音の出力を終了する（Ｓ１９ａ）ように構成されている。以上のように構成することにより、視覚と聴覚とにより遊技者に確実に避難勧告を認識させることができるという利点がある。
【００４３】
図８は本発明の第３の実施形態を例示し、第１、 第２の実施形態による演出制御基板３３ａの構成を一部変更して、避難勧告処理中に受信した演出コマンドに関する情報を記憶するように構成した例を示している。
【００４４】
即ち、本実施形態の演出制御基板３３ａの演出制御処理では、図８に示すように、主制御基板３２ａから演出コマンドを受信したとき（Ｓ１：Ｙｅｓ）、災害フラグがＯＮであれば、その受信した演出コマンドの情報を所定の記憶領域に順次記憶する（Ｓ４）ように構成されている。そして、災害フラグがＯＮであった間に記憶された演出コマンドは、災害フラグがＯＦＦになった後、所定の外部操作、例えば演出制御基板３３ａに設けられた専用ボタンの操作等に基づいて液晶表示手段２２等の表示手段に出力することができるようになっている。
【００４５】
これにより、避難勧告処理に従って一時的に避難した遊技者は、その避難中に送信された演出コマンドを後から確認することにより例えばその避難中に大当たりが発生しなかったか等を知ることができるため、避難後の遊技状態を気にすることなく安心して速やかに避難行動をとることができる。なお、記憶された演出コマンドは、次の電源ＯＦＦ時等の所定のタイミングで消去すればよい。
【００４６】
図９は本発明の第４の実施形態を例示し、第１〜第３の実施形態の構成を一部変更して、主電源からの電力供給が途絶えた後に演出制御基板３３ａを含む避難勧告処理の実行に必要な各部に電力を供給するバックアップ電源６１を設けた例を示している。
【００４７】
このバックアップ電源６１は、演出制御基板３３ａ上に設けてもよいし演出制御基板３３ａの外部に設けてもよい。また、このバックアップ電源６１による電力供給先は演出制御基板３３ａ、液晶制御基板３４ａ及び液晶表示手段２２であるが、液晶制御基板３４ａ及び液晶表示手段２２には例えば演出制御基板３３ａを介して電力を供給するように構成されている。もちろん、バックアップ電源６１から演出制御基板３３ａ、液晶制御基板３４ａ、液晶表示手段２２に個別に電力供給するように構成してもよい。
【００４８】
またこのバックアップ電源６１は、災害信号受信手段４８が災害信号を受信したことを条件に作動するように構成されており、災害信号を受信していない通常の状態で主電源が落とされた場合には、このバックアップ電源６１による演出制御基板３３ａ等への電力供給は行われないようになっている。なお、このバックアップ電源６１は、液晶表示手段２２への避難勧告画像の表示を少なくとも数十秒、できれば数分程度維持できる容量とすることが望ましい。
【００４９】
以上のような構成とすることにより、火災や地震等の災害によって停電が発生した場合でも一定時間は避難勧告処理を行うことができる。しかも、液晶表示手段２２のバックライトが非常灯の役割を果たすため、停電の暗闇の中でも遊技者を安全に避難させることができる。
【００５０】
図１０及び図１１は本発明の第５の実施形態を例示し、遊技機本体１に前側下部を照らす足元灯６２を設け、演出制御基板３３ａは、避難勧告処理として、第１〜第４の実施形態で示した液晶表示手段２２への避難勧告画像の表示等に加えてその足元灯６２を点灯させるように構成した例を示している。
【００５１】
この足元灯６２は、図１０に示すように、貯留皿１１の下部側等、遊技機本体１の前側下部、即ち遊技者が避難する際に避難通路となる部分の床面に光を照射できる位置に設けられている。また、足元灯６２の配置位置は床面に確実に光を照射できる位置であればよく、貯留皿１１の下部側以外の例えば発射ハンドル１２の先端下部側、遊技機本体１の上部側等でもよい。なお、遊技球を貯留する貯留皿が上皿と下皿とに分かれている場合には、それら上皿、下皿の少なくとも一方の下部側に設ければよい。
【００５２】
また本実施形態の場合、図１１に示すように、第４の実施形態のようなバックアップ電源６１を設けてこの足元灯６２にもその電力を供給する必要がある。この足元灯６２は、停電が発生して遊技ホール内が暗闇になった場合に威力を発揮するものだからである。なおこの場合、足元灯６２は主電源からの電力供給が途絶えた場合にのみ点灯するようにしてもよい。
【００５３】
以上、本発明の実施形態について詳述したが、本発明はこれらの実施形態に限定されるものではなく、本発明の趣旨を逸脱しない範囲で種々の変更が可能である。例えば、避難勧告処理は、遊技機本体１の前側の例えば遊技盤１４上に配置された表示手段に避難勧告画像を表示する処理が含まれていればよく、その表示手段は液晶表示手段２２以外のどのような方式の表示手段であってもよい。
【００５４】
実施形態では、避難勧告処理中は画像表示手段２２以外の発光手段を全て消灯させるように構成したが、例えば避難勧告処理用の発光パターンで発光させるようにしてもよい。
【００５５】
任意の文字や図形等を入力可能な設定操作手段５５を設け、誘導画像設定手段５１は、設定操作手段５５により入力された文字や図形を用いた誘導画像を設定可能に構成してもよい。また、ＵＳＢ端子やメモリーカードリーダ等、外部からのデータ入力が可能な外部入力手段を設け、誘導画像を設定する誘導画像設定手段５１は、この外部入力手段を介して入力された画像データ、テキストデータ等を用いて誘導画像を設定可能に構成してもよい。
【００５６】
災害信号は、ホールコンピュータ４６からではなく火災報知器５４等から直接受信するように構成してもよい。また、煙や炎を検出するセンサを遊技機本体１に設け、そのセンサから災害信号を受信するように構成してもよい。
【００５７】
実施形態では、ホールコンピュータ４６等からの災害信号はそれが解除されるまで継続的に送信されるように構成したが、災害の発生時に災害信号が、その解除時に災害解除信号が夫々送信されるようにしてもよい。この場合、図５等に示す災害時処理においては、災害信号受信時に災害フラグをＯＮにし、災害解除信号受信時に災害フラグをＯＦＦにするように構成すればよい。
【００５８】
また、災害信号に、火災や地震等の災害の種類、避難経路、避難方向、火災の場合には出火場所、地震の場合には震度等、発生した災害に関連する各種情報を持たせ、それらの情報に基づいて避難勧告処理を行うようにしてもよい。例えば、ホールコンピュータ４６等から前記各種情報に１対１で対応する災害信号が出力されるように構成し、演出制御手段（演出制御基板）３３ａに、各種災害信号に対応する複数種類の避難勧告画像を予め記憶させ、災害信号受信時にはそれに対応する避難勧告画像を選択して表示するように構成することが考えられる。
【００５９】
実施形態では演出制御基板３３ａと液晶表示手段２２との間に液晶制御基板３４ａを配置したが、演出制御基板３３ａから液晶表示手段２２を直接制御するように構成してもよい。また、演出制御基板３３ａは、インターフェイス基板を介して主制御基板３２ａ、液晶制御基板３４ａ、各種演出手段等に接続してもよい。
【００６０】
更に、実施形態では本発明をパチンコ機に適用した例を示したが、アレンジボール機等の他の弾球遊技機はもちろん、スロットマシン等、弾球遊技機以外の各種遊技機においても同様に実施可能である。
【符号の説明】
【００６１】
１    遊技機本体
７ａ  ＬＥＤ基板（発光手段、演出手段）
８    スピーカ（音声出力手段）
２２    液晶表示手段（画像表示手段、演出手段）
２７ａ  ＬＥＤ基板（発光手段、演出手段）
３２ａ  主制御基板（主制御手段）
３３ａ  演出制御基板（演出制御手段）
５１    誘導画像設定手段
６１    バックアップ電源
６２    足元灯
【図１】
2011024931.tif 000003
【図２】
2011024931.tif 000004
【図３】
2011024931.tif 000005
【図４】
2011024931.tif 000006
【図５】
2011024931.tif 000007
【図６】
2011024931.tif 000008
【図７】
2011024931.tif 000009
【図８】
2011024931.tif 000010
【図９】
2011024931.tif 000011
【図１０】
2011024931.tif 000012
【図１１】
2011024931.tif 000013